(57)【要約】【課題】広告表示機能を備えた台間機を提案すること。【解決手段】台間機１における空きスペース４の前面部分を覆っている化粧用前面パネル体７には、その左右の側面７２、７３にスリット７２ａ、７３ａが形成され、広告板８はこれらのスリットを介して着脱可能な状態で差し込まれている。化粧用前面パネル体７の前面７１には開口部７１ａが形成されているので、遊技者は遊技台の前に座った状態で、当該開口部７１ａを介して広告板８の広告面８ａに印刷されている広告を見ることができる。台間機１の前面部分の空きスペースを利用して広告、宣伝などを行うことができるので便利である。広告を替える場合には、化粧用前面パネル体７の側面から広告板８を引き出して、新しいものと交換すればよいので、その作業も簡単である。【選択図】　　　図３
2004024781.tif 000002
【特許請求の範囲】
【請求項１】
遊技台で使用する遊技媒体の貸し出し処理を行うために、当該遊技台の隣接位置に取り付けられている台間機において、
表面に情報が担持された少なくとも１つの情報表示板を有し、
この情報表示板に担持されている情報が台間機前方から目視可能であることを特徴とする台間機。
【請求項２】
請求項１において、
前記情報表示板は着脱可能であることを特徴とする台間機。
【請求項３】
請求項２において、
台間機前面に取り付けられている化粧用前面パネル体を有し、
この化粧用前面パネル体は、前記情報表示板を抜き差し可能なスリットが形成されている側面と、透明な窓あるいは開口部が形成された前面とを備えており、
前記スリットから前記化粧用前面パネル体の内部に差し込まれた前記情報表示板の情報表示面を、前記透明な窓あるいは開口部を介して台間機前方から目視可能であることを特徴とする台間機。
【請求項４】
請求項２において、
台間機前面に着脱可能に取り付けられている化粧用前面パネル体を有し、
この化粧用前面パネル体は、透明な窓あるいは開口部が形成された前面を備え、
この化粧用前面パネル体の裏面には、前記情報表示板が着脱可能に取り付けられており、
前記化粧パネル板の裏面に取り付けられている前記情報表示板の情報表示面を、前記化粧パネル板の前記透明な窓あるいは開口部を介して台間機前方から目視可能であることを特徴とする台間機。
【請求項５】
請求項２において、
台間機前面に取り付けられている化粧用前面パネル体を有し、
この化粧用前面パネル体の前面に、前記情報表示板が着脱可能に取り付けられていることを特徴とする台間機。
【請求項６】
請求項１ないし５のうちのいずれかの項において、
台間機前面に取り付けられているテンキーなどが配列された操作部を有し、
前記情報表示板は当該操作部よりも上側の位置に配置されていることを特徴とする台間機。
【発明の詳細な説明】
【０００１】
【発明の属する技術分野】
本発明は、隣接するパチンコ台などの遊技台で使用するパチンコ玉などの遊技媒体の貸し出し処理を行う台間機に関し、更に詳しくは、広告などの表示機能を備えた台間機に関するものである。
【０００２】
【従来の技術】
一般に、パチンコホールなどの遊技場では複数列の遊技島が配置されており、各遊技島は、複数の遊技台と、各遊技台の間に配置された台間機から構成されている。台間機は隣接配置されている遊技台で使用するパチンコ玉、メダルなどの遊技媒体を、挿入されたプリペイドカードや投入された現金等の有価証券の額に応じて貸し出すためのものであり、遊技者は遊技台に正対して座ったままで遊技媒体の貸し出しを受けることができるので便利である。
【０００３】
台間機としては、投入された金額に応じて直接に遊技媒体を貸し出す方式のもの（玉貸機、メダル貸機などと呼ばれるもの）と、遊技台との間で通信を行って遊技台からの遊技媒体の貸し出しを行わせる方式のもの（ユニットと呼ばれるもの）とが知られている。
【０００４】
ここで、台間機は遊技台の間などにおける限られたスペースに設置する必要があるので、遊技台間に形成される遊技台高さ寸法分の狭いスペースに、上下に構成部品を配列した構成とされている。例えば、カード処理ユニット、制御ユニット、硬貨処理ユニットおよび紙幣処理ユニットがこの順序で下側から配列され、台間機前面におけるそれらのユニットの対応部位には、それぞれカード挿入口、操作部、硬貨投入口、紙幣挿入口などが配置された構成とされる。
【０００５】
【発明が解決しようとする課題】
このように台間機は、遊技台の高さ寸法に対応した高さ寸法となっているので、場合によっては、空きスペースが発生することがあり、その場合には、空きスペースに対応する台間機前面の部位には目隠し用の化粧パネルなどが取り付けられている。例えば、上記の例において、硬貨処理ユニットを省略した場合には、制御ユニットと紙幣処理ユニットの間に空きスペースができ、その前面部分には目隠し用の化粧パネルが取り付けられる。また、近年においては、各ユニットの小型化、コンパクト化が図られており、この結果、台間機に空きスペースが出る場合がある。この場合においても台間機の空きスペースに対応する台間機前面部分には目隠し用の化粧パネルなどが取り付けられる。
【０００６】
本発明の課題は、この点に鑑みて、台間機前面に生ずる空きスペースを有効利用して広告などを表示する機能を備えた台間機を提案することにある。
【０００７】
【課題を解決するための手段】
上記の課題を解決するために、本発明は、遊技台で使用する遊技媒体の貸し出し処理を行うために当該遊技台の隣接位置に取り付けられている台間機において、
表面に情報が担持された少なくとも１つの情報表示板を有し、
この情報表示板に担持されている情報が台間機前方から目視可能であることを特徴としている。
【０００８】
本発明によれば、台間機の空きスペースの前面部分を目隠しする状態で情報表示板を取り付けることにより、当該空きスペースを利用して各種の広告、宣伝などを行うことができるので便利である。また、複数枚の情報表示板を取り付けることにより、各種の異なる広告などを同時に表示できる。なお、本明細書において「情報表示板」という用語は、薄い可撓性あるいは柔軟性のある情報表示シートあるいは情報表示フィルムを含む広い意味で使用している。
【０００９】
ここで、前記情報表示板が着脱可能であれば、定期的に異なる広告が表示された情報表示板に交換する作業が簡単にできるので好ましい。例えば、情報表示板を磁性板あるいは磁性フィルムから形成し、磁力によって着脱可能な状態で台間機前面に取り付けることができる。あるいは、両面接着テープ、ビスなどを用いて情報表示板を取り付けることもできる。
【００１０】
本発明では、台間機前面に化粧用前面パネル体を取り付け、この化粧用前面パネル体を、前記情報表示板を抜き差し可能なスリットが形成されている側面と、透明な窓あるいは開口部が形成された前面とを備えた構成とし、前記スリットから前記化粧用前面パネル体の内部に差し込まれた前記情報表示板の情報表示面を、前記透明な窓あるいは開口部を介して台間機前方から目視可能な構成を採用している。
【００１１】
この代わりに、化粧用前面パネル体を台間機前面に着脱可能に取り付けると共に、この化粧用前面パネル体を、透明な窓あるいは開口部が形成された前面を備えたものとし、この化粧用前面パネル体の裏面に前記情報表示板を着脱可能に取り付けて、前記化粧パネル板の裏面に取り付けられている前記情報表示板の情報表示面を、前記化粧パネル板の前記透明な窓あるいは開口部を介して台間機前方から目視可能にしてもよい。
【００１２】
あるいは、台間機前面に取り付けた化粧用前面パネル体の前面に、前記情報表示板を着脱可能に取り付けてもよい。
【００１３】
ここで、台間機前面に取り付けられているテンキーなどが配列された操作部は、一般に操作しやすい高さ位置に配置されている。すなわち、遊技台の前に座った遊技者の眼の高さ位置よりも下方側の位置に配置されている。情報表示板による広告宣伝効果を高めるためには、遊技者の顔の高さ位置に情報表示板が位置していることが望ましい。このためには、情報表示板を操作部よりも上側の位置に配置すればよい。
【００１４】
【発明の実施の形態】
以下に、図面を参照して本発明を適用した台間機の実施例を説明する。
【００１５】
図１は本例の台間機を遊技台と共に示す正面図であり、図２は台間機の側面図である。台間機１は、遊技台１００の隣接位置に配置されており、縦長の直方体形状をしている。台間機１の内部には、その下側から、カード処理部２、制御部３、空きスペース４および紙幣処理部５がこの順序で配列されている。また、台間機１の背面側には中継器６が配置されており、この中継器６を介して、制御部３とカード処理部２および紙幣処理部５との間の通信が行われ、また、外部との間で通信が行われる。
【００１６】
カード処理部２にはカードリーダライタが含まれており、その台間機前面部分を形成している前面パネル２１の下側部分にはカード挿入・排出口２２が配置されている。また、制御部３は、カード処理部２、紙幣処理部５の駆動を制御するための制御回路部分と、これらに電力を供給するための電源回路部分と、外部の上位側コンピュータ、例えば遊技店のホストコンピュータとの間で通信を行うための通信制御部とを含んでいる。この制御部の台間機前面部分を形成している前面パネル２１の上側部分にはテンキー３１および液晶表示器３２が配列された操作部３３が配置されている。さらに、最も上に位置している紙幣処理部５の台間機前面を形成している前面パネル５１には紙幣挿入口５２が配置されている。
【００１７】
ここで、空きスペース４の台間機前面部分は、広告表示兼目隠し用の化粧用前面パネル体７が取り付けられている。この化粧用前面パネル体７には、表面に広告が印刷された広告板（情報表示板）８が着脱可能な状態で取り付けられており、当該広告板８の広告面８ａが、台間機１の前方側から目視可能となっている。
【００１８】
図３（ａ）は化粧用前面パネル体７および広告板８を示す斜視図であり、図３（ｂ）は化粧用前面パネル体７の断面図である。これらの図を参照して説明すると、本例の化粧用前面パネル体７は、所定厚さの縦長の箱型形状をしており、その前面７１には縦長の長方形の開口部７１ａが形成されている。化粧用前面パネル体７の両方の側面７２、７３には、それらの厚さ方向の中間位置に、上下に延びる広告板差し込み用のスリット７２ａ、７３ａ（図においてはスリット７２ａのみが示されている。）が形成されている。化粧用前面パネル体７の内部においては、その天面７４および底面７５に、左右のスリット７２ａ、７３ａに両端が連続している広告板差し込み用の溝７４ａ、７５ａが形成されている。化粧用前面パネル体７の裏面７６は、台間機１の機体枠（図示せず）にビスなどによって固定可能となっている。
【００１９】
本例の広告板８は、一定厚さの縦長の金属製あるいはプラスチック製の板から形成されており、その広告面８ａには所定の広告あるいは宣伝が印刷されている。広告板８は化粧用前面パネル体７の側面７２、７３に形成されているスリット７２ａ、７３ａに、差し込み可能な厚さおよび長さ寸法とされており、また、その幅寸法は、化粧用前面パネル体７の幅にほぼ等しい。
【００２０】
このように構成した本例の台間機１においては、空きスペース４の前面に取り付けられている化粧用前面パネル体７の側面７２あるいは７３に形成したスリット７２ａ、７３ａから、所定の広告が印刷された広告板８を差し込むと、この広告板８の広告面８ａが、化粧用前面パネル体７の前面の開口部７１ａを介して、台間機前方から直接に目視可能になる。よって、台間機前面部分の空きスペースを利用して各種の広告、宣伝を行うことができる。
【００２１】
また、本例では、化粧用前面パネル体７が、操作部３３の上側位置に配置されているので、広告板８の広告面８ａの高さは、遊技台１００の前に座った遊技者（図示せず）の顔の高さ位置になる。よって、遊技者の視野内に必然的に広告面８ａが入り込むので、効果的に広告宣伝を行うことができる。
【００２２】
さらに、広告板８は化粧用前面パネル体７に対して簡単に着脱可能であるので、広告板８の交換作業が簡単にでき、常に広告をアップデートできるという利点もある。
【００２３】
なお、本例では、１枚の広告板８を化粧用前面パネル体７に差し込むようにしているが、複数枚の広告板を差し込み可能としてもよい。例えば、側面７２、７３に形成されているスリット７２ａ、７３ａを上下二段に分け、対応する長さの２枚の広告板を別個に差し込み可能とすることができる。また、スリット７２ａ、８３ａを各側面７２、７３に複数本形成しておき、各スリットに広告板を差し込み可能としてもよい。さらには、広告板８を左右に２枚以上に分け、これら複数枚の広告板をスリット７２ａあるいは７３ａから順次に差し込むようにしてもよい。これらの場合における表示広告は複数枚の一つの広告を構成するようなものでもよいし、それぞれ別個の広告を表示するものであってもよい。
【００２４】
次に、本例の化粧用前面パネル体７の前面には開口部７１ａを形成してあるが、この代わりに、透明な板材からなる窓を形成してもよい。
【００２５】
さらに、広告板８の代わりに、例えば、遊技台の操作方法、各種のイベント情報などが印刷された指示板あるいは掲示板を差し込むようにしてもよい。
【００２６】
（その他の実施の形態）
図４および図５は、上記の化粧用前面パネル体７の変形例を示すものである。まず、図４に示す化粧用前面パネル体７Ａでは、その裏面７６Ａに広告板８を着脱可能に取り付けられている。広告板８が取り付けられた化粧用前面パネル体７Ａは、台間機前面部分を規定している機体枠にビスなどによって固定される。広告板８Ａを化粧用前面パネル体７Ａに取り付ける方法としては、磁性板などを用いた磁力を利用する方法、接着剤を用いる方法、ビスなどの固定金具を用いる方法、化粧用前面パネル体裏面に取り付けたクリップなどに広告板を差し込む方法など、各種の方法を採用することができる。なお、化粧用前面パネル体７Ａは側面にスリット７２ａ、７３ａが形成されていない点および内部に溝７４ａ、７５ａが形成されていない点を除き、上記の化粧用前面パネル体７と同一構成とすることができる。
【００２７】
次に、図５に示す化粧用前面パネル体７Ｂの場合には、その前面７１Ｂに広告板８Ｂの取り付け面を形成した構成となっている。また、前面に開口部７１ａが形成されていない点、側面にスリット７２ａ、７３ａが形成されていない点および内部に溝７４ａ、７５ａが形成されていない点を除き、上記の化粧用前面パネル体７と同一構成とすることができる。
【００２８】
この場合、広告板８Ｂとして、化粧用前面パネル体７Ｂにおける前面７１Ａおよび両側面７２Ａ、７３Ａを覆う湾曲状のものを用意し、これを取り付けるようにすれば、上記の各例に比べて、より広い広告面積を確保できるという利点がある。
【００２９】
なお、広告板８Ｂの取り付けは、両面接着テープ、磁性板などによる磁力、接着剤などを用いた各種の方法により行うことができる。
【００３０】
【発明の効果】
以上説明したように、本発明の台間機によれば、その台間機前面部分の空きスペースを利用して各種情報を表示することができる。
【００３１】
また、各種情報が表示されている情報表示板を台間機に着脱可能としてあるので、最新情報などをタイムリーに表示することができる。
【００３２】
さらに、本発明では、台間機の前面部分の空きスペースを覆う化粧用前面パネル体に、情報表示板を着脱可能に取り付けた構成を採用しているので、当該化粧用前面パネル体の取り付け部分を利用して所望の広告を行うことができる。
【００３３】
さらにまた、本発明では、情報表示板を台間機の操作部の上側位置に配置することにより、当該情報表示部が遊技者の顔に対峙する高さ位置となるようにしている。従って、情報表示部の情報表示面が必然的に遊技者の視野内に入るので、効果的に広告や情報提供を行うことができる。
【図面の簡単な説明】
【図１】本発明を適用した台間機の例を遊技台と共に示す正面図である。
【図２】図１の台間機の側面図である。
【図３】（ａ）は図１の台間機の化粧用前面パネル体および広告板を示す斜視図であり、（ｂ）は化粧用前面パネル体の断面図である。
【図４】図３の化粧用前面パネル体の別の例を示す説明図である。
【図５】図３の化粧用前面パネル体の更に別の例を示す説明図である。
【符号の説明】
１　　台間機
２　　カード処理部
２１　前面パネル
２２　カード挿入・排出口
３　　制御部
３３　操作部
４　　空きスペース
５　　紙幣処理部
６　　中継器
７、７Ａ、７Ｂ　　化粧用前面パネル体
７１　前面
７１ａ　開口部
７２、７３　側面
７２ａ　スリット
７４　天面
７５　底面
７４ａ、７５ａ　溝
７６　裏面
８、８Ａ、８Ｂ　　広告板
８ａ　広告面
【図１】
2004024781.tif 000003
【図２】
2004024781.tif 000004
【図３】
2004024781.tif 000005
【図４】
2004024781.tif 000006
【図５】
2004024781.tif 000007